(57)【要約】 【課題】持ち上げた時、ヒータ本体が組み付けられた首振り機構と台座部に固定されたフレームとが分離して脱落するのを防止できる電気ストーブを提供する。【解決手段】支柱固定板カバー２２の軸受け部２５の有底部分から支柱差込部２７の先端差し込み部２８の距離を、支柱固定板カバー２２の軸受け部２５の有底部分から突出した首振り軸１８の先端部分と係合する固定用ナット３３が緩んで下方向に移動してきても、固定用ナット３３が先端差し込み部２８に当接し、その状態で固定用ナット３３と首振り軸１８の先端部分のねじ切りされた部分は係合された状態であるので、首振り軸１８が支柱固定板カバー２２から外れるのを防止できるものである。【選択図】図７
2010091211.tif 000002
【特許請求の範囲】
【請求項１】
ヒータを備えた本体ケース部と、該本体ケース部とそれを支持する支柱とを連結する支柱固定部と、前記支柱を支持するベース部とを備えた電気ストーブに於いて、前記支柱固定部は、本体ケース部を回転自在に支持すると共に本体ケース部の首振りを行う首振り機構部を上面に取り付ける支柱固定板カバーと、前記支柱の上端に固定されると共に前記支柱固定板カバーを係合する支柱固定板とからなり、前記首振り機構部には首振り軸が設けられ、該首振り軸を支柱固定板カバーの軸受け部に挿入し、該軸受け部の有底部分から突出した首振り軸の先端部分と固定用ナットとを係合させることで首振り機構部を支柱固定板カバーに固定し、更に首振り軸の先端部分は支柱固定板の支柱差込部に立設した先端差し込み部内に挿入されることを特徴とする電気ストーブ。
【請求項２】
前記軸受け部の有底部分から先端差し込み部の上面までの距離は、首振り軸の先端部分と係合した固定用ナットが緩んで先端差し込み部に当接した時、首振り軸の先端部分と固定用ナットが係合されたままとなる距離としたことを特徴とする請求項１記載の電気ストーブ。
【請求項３】
前記支柱固定板カバーの上面からネジを差し込んで、支柱固定板カバーに設けた支柱固定板カバー係合部と、支柱固定板に設けた支柱固定板係合部とを係合させることで支柱固定板カバーと支柱固定板とを係合することを特徴とする請求項２記載の電気ストーブ。
【発明の詳細な説明】
【技術分野】
【０００１】
この発明は、電気ストーブに関するものである。
【背景技術】
【０００２】
従来よりこの種のものに於いては、例えば、ヒータ本体の首振り機構が台座部上方の筒胴部内に設けられ、ヒータ本体が取り付けられたフレームの下端がＬ字形のフレーム取付台部に挿入され、そのフレーム取付台部をカム筒部が支持し、更にそのカム筒部を台座部に固着した架台が支持することで、ヒータ本体が台座部に支持されていた。（例えば、特許文献１参照）
【特許文献１】実公平０２−４２９６４号公報
【発明の開示】
【発明が解決しようとする課題】
【０００３】
ところでこの従来のものでは、台座部上方の筒胴部内に設けられた首振り機構がモータを駆動させることによりカム筒部反復回動させ、それによりヒータ本体が取り付けられたフレームが固定されているフレーム取付台部を反復回動させることで首振り動作させるため、モータが駆動する重量が大きく、大型のモータを使用しなくてはならなかった。
【０００４】
そこで、首振り機構のモータをより小型のものにするため、首振り機構をフレームの上端に設けることが考えられるが、この場合、ヒータ本体が組み付けられた首振り機構と台座部に固定されたフレームとの連結は、首振り機構に設けた首振り軸の先端に溝を形成し、それを台座部に固定されたフレーム側と連結する際、前記溝にＥリングを挿入することにより連結していたが、Ｅリングを挿入する際差し込み不良により確実に連結されず、そのため電気ストーブを持ち上げた時、ヒータ本体が組み付けられた首振り機構と台座部に固定されたフレームとが分離して、台座部に固定されたフレームが脱落したり、また、ヒータ本体が組み付けられた首振り機構の重量が前記Ｅリングに集中するため、Ｅリングが変形してしまう可能性があった。
【課題を解決するための手段】
【０００５】
この発明はこの点に着目し上記課題を解決する為、特にその構成を請求項１では、ヒータを備えた本体ケース部と、該本体ケース部とそれを支持する支柱とを連結する支柱固定部と、前記支柱を支持するベース部とを備えた電気ストーブに於いて、前記支柱固定部は、本体ケース部を回転自在に支持すると共に本体ケース部の首振りを行う首振り機構部を上面に取り付ける支柱固定板カバーと、前記支柱の上端に固定されると共に前記支柱固定板カバーを係合する支柱固定板とからなり、前記首振り機構部には首振り軸が設けられ、該首振り軸を支柱固定板カバーの軸受け部に挿入し、該軸受け部の有底部分から突出した首振り軸の先端部分と固定用ナットとを係合させることで首振り機構部を支柱固定板カバーに固定し、更に首振り軸の先端部分は支柱固定板の支柱差込部に立設した先端差し込み部内に挿入されるものである。
【０００６】
又請求項２に係る電気ストーブでは、特にその構成を請求項１の電気ストーブにおいて、前記軸受け部の有底部分から先端差し込み部の上面までの距離は、首振り軸の先端部分と係合した固定用ナットが緩んで先端差し込み部に当接した時、首振り軸の先端部分と固定用ナットが係合されたままとなる距離としたものである。
【０００７】
又請求項３に係る電気ストーブでは、特にその構成を請求項２の電気ストーブにおいて、前記支柱固定板カバーの上面からネジを差し込んで、支柱固定板カバーに設けた支柱固定板カバー係合部と、支柱固定板に設けた支柱固定板係合部とを係合させることで支柱固定板カバーと支柱固定板とを係合したものである。
【発明の効果】
【０００８】
この発明の請求項１によれば、ヒータを備えた本体ケース部と、該本体ケース部とそれを支持する支柱とを連結する支柱固定部と、前記支柱を支持するベース部とを備えた電気ストーブに於いて、前記支柱固定部は、本体ケース部を回転自在に支持すると共に本体ケース部の首振りを行う首振り機構部を上面に取り付ける支柱固定板カバーと、前記支柱の上端に固定されると共に前記支柱固定板カバーを係合する支柱固定板とからなり、前記首振り機構部には首振り軸が設けられ、該首振り軸を支柱固定板カバーの軸受け部に挿入し、該軸受け部の有底部分から突出した首振り軸の先端部分と固定用ナットとを係合させることで首振り機構部を支柱固定板カバーに固定し、更に首振り軸の先端部分は支柱固定板の支柱差込部に立設した先端差し込み部内に挿入されるので、固定用ナットが緩んでも支柱差込部に立設した先端差し込み部に当接して完全に首振り軸の先端部分から外れるのを防止でき、本体ケース部が取り付けられた首振り機構部から支柱固定部及び支柱と該支柱を支持するベース部が分離して脱落することを防止できるものである。
【０００９】
又本発明の請求項２に記載の電気ストーブによれば、請求項１の電気ストーブに於いて、前記軸受け部の有底部分から先端差し込み部の上面までの距離は、首振り軸の先端部分と係合した固定用ナットが緩んで先端差し込み部に当接した時、首振り軸の先端部分と固定用ナットが係合されたままとなる距離としたしたので、固定用ナットが緩んでも支柱差込部に立設した先端差し込み部に当接して固定用ナットが完全に首振り軸の先端部分から外れず、それにより首振り軸の先端部分と固定用ナットが係合したしたままの状態となるので、本体ケース部が取り付けられた首振り機構部が支柱固定板カバーから外れるのを防止でき、それにより本体ケース部が取り付けられた首振り機構部から支柱固定部及び支柱と該支柱を支持するベース部が分離して脱落することを防止できるものである。
【００１０】
又本発明の請求項３に記載の電気ストーブによれば、請求項２の電気ストーブに於いて、前記支柱固定板カバーの上面からネジを差し込んで、支柱固定板カバーに設けた支柱固定板カバー係合部と、支柱固定板に設けた支柱固定板係合部とを係合させることで支柱固定板カバーと支柱固定板とを係合したので、固定用ナットが緩んでも支柱差込部に立設した先端差し込み部に当接して固定用ナットが完全に首振り軸の先端部分から外れず、それにより首振り軸の先端部分と固定用ナットが係合したしたままの状態となるので、本体ケース部が取り付けられた首振り機構部が支柱固定板カバーから外れるのを防止でき、更に支柱固定板カバーと支柱固定板とがネジにて係合していることで、本体ケース部が取り付けられた首振り機構部から支柱固定部及び支柱と該支柱を支持するベース部が分離して脱落することを防止できるものである。
【発明を実施するための最良の形態】
【００１１】
次に、本発明に係る発明の一実施形態を図面に基づいて説明する。
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５を覆うカバー部６と、前記首振り機構部５と該首振り機構部５を支持する支柱７の一端とが固定される支柱固定部８と、前記支柱７の他端が固定されて支柱７を支持するベース部９から構成されている。
【００１２】
前記本体ケース部３は、正面下部に暖房能力を表示する表示部１０を設けると共に、上面には操作部１１を設け、該操作部１１は暖房運転のオンオフ及び暖房能力を設定する回転式の運転つまみ１２と、暖房能力をある幅で高低させるゆらぎ運転スイッチ１３と、３０分から１〜３時間まで運転時間を設定できる切りタイマースイッチ１４と、本体ケース部３を首振り動作させる首振りスイッチ１５を有するものである。
【００１３】
叉前記首振り機構部５は、本体ケース部３を回転自在に支持する回転軸ユニット１６と、首振りさせるための駆動用モータ１７と、首振り軸１８を有し前記回転軸ユニット１６と駆動用モータ１７が固定されるモータ取り付け台１９と、前記駆動用モータ１７の回転を首振りの往復動作に変換するリンク２０とを有するものである。
【００１４】
叉前記支柱固定部８は、前記モータ取り付け台１９を載置するモータ取付板カバー２１と、該モータ取付板カバー２１を載置する支柱固定板カバー２２と、該支柱固定板カバー２２を載置すると共に支柱７の上端が差し込まれて固定される支柱固定板２３とからなるものである。
【００１５】
前記支柱固定板カバー２２は断面略逆凹形状の円筒状で、上面２４にはその中心にモータ取り付け台１９の首振り軸１８が差し込まれる中空円筒状の軸受け部２５が立設され、該軸受け部２５は支柱固定板カバー２２内部まで有底の中空円筒状で、差し込まれた首振り軸１８の先端が突出するように形成され、また支柱固定板カバー２２の上面２４には電源コードを保持するコード保持部２６が立設されているものである。
【００１６】
前記支柱固定板２３は、底面部分から差し込まれる支柱７の上端を受ける断面逆Ｕ字状の支柱差込部２７を有し、該支柱差込部２７の略中央には軸受け部２５の有底部分から突出した首振り軸１８の先端部分が挿入される中空状の先端差し込み部２８が立設され、また、支柱差込部２７の各角部には、支柱固定板カバー２２内部に形成されている支柱固定板カバー係合部２９と当接し、支柱固定板カバー２２の上面２４から差し込むネジ（図示せず）により支柱固定板カバー係合部２９と係合する支柱固定板係合部３０が形成されているものである。
【００１７】
３１はスリーブで、前記支柱固定板カバー２２の軸受け部２５の有底部分に取り付けられ、軸受け部２５の有底部分から突出した首振り軸１８の先端部分が貫通し、更に軸受け部２５の有底部分から支柱固定板２３の先端差し込み部２８との間に平座金３２と固定用ナット３３が設けられ、前記首振り軸１８の先端部分はねじ切りされているので固定用ナット３３と係合し、それにより首振り軸１８が支柱固定板カバー２２から抜けないように取り付けられるものである。
【００１８】
前記ベース部９の上面には、支柱７の他端がベース部９内に挿入されるための支柱差込口３４が形成され、該支柱差込口３４から挿入された支柱７の他端がベース部９内に固定されるものである。  
【００１９】
次に支柱７、首振り軸１８、支柱固定板カバー２２及び支柱固定板２３の組み立てについて説明する。
まず、回転軸ユニット１６と駆動用モータ１７が固定され、リンク２０が組み込まれたモータ取り付け台１９をモータ取付板カバー２１に固定する。
そしてそれを支柱固定板カバー２２に組み込むと、スリーブ３１が組み込まれている支柱固定板カバー２２の軸受け部２５の有底部分から首振り軸１８の先端部分が突出するので、それに平座金３２を組み込み、更に首振り軸１８の先端部分を固定用ナット３３と係合することで、回転軸ユニット１６と駆動用モータ１７が固定され、リンク２０が組み込まれたモータ取り付け台１９を組み込んだモータ取付板カバー２１が支柱固定板カバー２２に取り付けられる。
【００２０】
一方、他端がベース部９内に挿入されて固定された支柱７の一端には、ねじ切りされた支柱固定板固定孔３５が正面側と背面側に設けられており、その支柱７の一端を支柱固定板２３の支柱差込部２７に差し込み、該支柱差込部２７の正面側と背面側に設けられている支柱固定板固定用孔３６からネジ（図示せず）を差し込んで係合させ、支柱７の一端に支柱固定板２３が組み込まれている。
【００２１】
そして、他端がベース部９内に挿入されて固定された支柱７の一端に組み込まれた支柱固定板２３に、回転軸ユニット１６と駆動用モータ１７が固定され、リンク２０が組み込まれたモータ取り付け台１９を組み込んだモータ取付板カバー２１が取り付けられた支柱固定板カバー２２を組み込み、支柱固定板カバー２２の上面２４からネジ（図示せず）を差し込んで、支柱固定板カバー係合部２９と支柱固定板係合部３０を係合させることで、支柱７、首振り軸１８、支柱固定板カバー２２及び支柱固定板２３の組み立てが完了するものである。
【００２２】
この時、支柱固定板カバー２２の軸受け部２５の有底部分から支柱差込部２７の先端差し込み部２８の間は、図６のように固定用ナット３３を平座金３２が軸受け部２５の有底部分に組み込んだスリーブ３１に密着する状態となる所定の位置までまで首振り軸１８の先端部分に係合させると、固定用ナット３３と先端差し込み部２８の間には、若干首振り軸１８の先端部分が露出する部分がある。
【００２３】
この状態から図７のように固定用ナット３３が緩んで下方向に移動してきても、固定用ナット３３が先端差し込み部２８に当接し、その状態で固定用ナット３３と首振り軸１８の先端部分のねじ切りされた部分は係合された状態であるので、首振り軸１８が支柱固定板カバー２２から外れることがないものである。
【００２４】
このように、ヒータ２を備えた本体ケース部３を回転自在に支持すると共に本体ケース部３の首振りを行う首振り機構部５を組み込んだモータ取り付け台１９と係合するモータ取付板カバー２１を支柱固定板カバー２２に固定するために、ねじ切りされているモータ取り付け台１９の首振り軸１８の先端部分が支柱固定板カバー２２の軸受け部２５の有底部分から突出したところを固定用ナット３３で係合して固定し、さらにその支柱固定板カバー２２を支柱固定板２３に載置し、その状態で支柱固定板カバー２２の上面２４から差し込むネジ（図示せず）により支柱固定板カバー係合部２９と支柱固定板係合部３０とを係合することで支柱固定板カバー２２が支柱固定板２３に固定される。
【００２５】
その時、首振り軸１８の先端部分が支柱固定板２３の支柱差込部２７の略中央に立設した中空状の先端差し込み部２８に差し込まれ、この先端差し込み部２８の上端と首振り軸１８の先端部分に係合された固定用ナット３３との距離は、固定用ナット３３が緩んで先端差し込み部２８の上端に当接しても、ねじ切りされている首振り軸１８の先端部分と固定用ナット３３とが係合されている状態であるような距離であるため、たとえ完全に固定用ナット３３が緩んでも固定用ナット３３が軸受け部２５の有底部分に当接するので、首振り軸１８が支柱固定板カバー２２から抜けることを防止でき、電気ストーブ１を持ち上げた時に本体ケース部３とそのの首振りを行う首振り機構部５が、ベース部９に支持されている支柱７に固定された支柱固定板カバー２２及び支柱固定板２３から分離して、柱固定板カバー２２以下の部分が脱落することが防止できるものである。
【図面の簡単な説明】
【００２６】
【図１】この発明の一実施例を付した電気ストーブを示す斜視図。
【図２】同側面図。
【図３】同カバー部を取り外した状態の側面図。
【図４】同支持部の部品構成図。
【図５】同首振り機構部と支柱固定部の部品構成図。
【図６】同固定用ナット正常取付時の首振り機構部と支柱固定部の要部断面図。
【図７】同固定用ナット異常取付時の首振り機構部と支柱固定部の要部断面図。
【符号の説明】
【００２７】
１  電気ストーブ
２  ヒータ
３  本体ケース部
５  首振り機構部
７  支柱
８  支柱固定部
９  ベース部
１８  首振り軸
２２  支柱固定板カバー
２３  支柱固定板
２５  軸受け部
２７  支柱差込部
２８  先端差し込み部
３３  固定用ナット
【図１】
2010091211.tif 000003
【図２】
2010091211.tif 000004
【図３】
2010091211.tif 000005
【図４】
2010091211.tif 000006
【図５】
2010091211.tif 000007
【図６】
2010091211.tif 000008
【図７】
2010091211.tif 000009